(57)【要約】【課題】磁石の磁力を効率良く電気エネルギー化する発電方法。【解決手段】磁石の同極吸着現象を基本にした発電機構造とコギングレス化の方法により課題を解決する。【選択図】図３
2011223846.tif 000002
【特許請求の範囲】
【請求項１】
永久磁石、電磁石又は超電導磁石等（１）の磁極部分（Ｎ極、Ｓ極）に透磁率と磁気変化の大きい磁性体材料（２）を付け複合体磁石（１Ｗ）を構成し、（該磁極部分を「Ｏ磁極」と呼称する）。他の永久磁石、電磁石または超電導磁石等（３）のＮ極又はＳ極をＯ磁極の同極と相対させ、該磁極間（Ｌ）を縮め反発力から吸引力に反転する現象（新発見）を起こし、該反転現象を起こす領域（これを「Ｓ領域」と呼称する）で吸引と反発現象を連続的に起こしＯ磁極に磁気的変化を発生させてＯ磁極を囲むコイル（８）に誘導起電力を発生させる構造、またＳ領域における磁気作用の中和現象による磁石間のコギングレス化方法を特徴とした、磁石の同極吸着現象を基本にした発電機構造とコギングレス化の方法。
【請求項２】
「請求項１」記載の相対する同極対向磁場を固定磁場（４）と移動磁場（５）に構成し、Ｓ領域を創出する間隔を決めて磁場移動を回転又は直進、振動運動で行い、Ｏ磁極を囲むコイル（８）に誘導起電力を発生させ、またＯ磁極を囲むコイル（８）をＯ磁極内で移動して電圧を変化させる方法と構造。
【請求項３】
「請求項２」記載の固定磁場（４）の磁極数と相対する移動磁場（５）の磁極数を異なる数とした一対の発電要素をユニットとし、回転軸、直進軸に磁気作用が常時均等に発生するよう複数非直線上に配置したコギングレス化の発電方法と構造。
【発明の詳細な説明】
【技術分野】
【０００１】  本発明は磁石の磁気エネルギーを電気エネルギーに効率良く変換する発電方法と構造及び装置に関するものである。
【背景技術】
【０００２】  従来の学識知見では、磁石の同極（Ｎ極とＮ極又はＳ極とＳ極）を相対して配置した場合、磁石は反発力により吸着しないとされてきた。本発明は磁石の磁極に透磁率、磁気変化の大きい磁性体を組み合わせた複合体磁石（１Ｗ）（この磁極部分を以下「Ｏ磁極」と呼称する）を構成し、Ｏ磁極を例えばＮ極として、外部磁石のＮ極を相対して配置し、反発力が働く状態（Ｌ）から磁石の間隔を小さくしていくと、ある領域（以下「Ｓ領域」と呼称する）を超えたときに同じ磁極同士（Ｎ極とＮ極又はＳ極とＳ極）が吸着現象を起こす新現象を発見した。この相対する同磁極間に起きる反発力と吸引力の現象を活用し、複合体磁石のＯ磁極に巻かれたコイルに電磁誘導起電力を発生させる事を可能にした。
【先行技術文献】
【特許文献】
【０００３】
【特許文献１】特許願平１５−２００３−１１３４７６号
【非特許文献】
【０００４】
【非特許文献１】社団法人発明協会、「永久機関の夢と現実」特許庁審判官後藤正彦著昭６３・１月、Ｐ１９６−２０３
【発明の概要】
【発明が解決しようとする課題】
【０００５】  新エネルギー開発は最重要課題であり、莫大な資金と人材を投入して新エネルギー源また変換方法を研究しているが、水力、火力、原子力、風力、地熱、波浪、太陽熱等のエネルギー源は、全て特定の装置を通して電気エネルギーに変換する方法であり、また現状の太陽光発電はエネルギー密度が小さく日照時間、設置条件など多くの問題を抱えている。本発明は、最も身近にあるエネルギー密度の大きい磁力（磁気エネルギー）を直接電気エネルギーに変換する方法であり、エネルギーに関する諸問題を解決する。
【課題を解決するための手段】
【０００６】  本発明は、エネルギー密度が大きい磁石の磁極に、透磁率、磁気変化の大きい磁性体を組み合わせた複合体磁石（１Ｗ）を構成し、その特性により複合体磁石のＯ磁極と相対する同極の磁石間の距離によって、反発又は吸着する現象を磁気的変化（同極磁力の反転吸着現象＝発見）として活用した従来にない方法と構造であり、同極の磁石間で起きる反発と吸着する現象を断続的に継続して発生させ、Ｏ磁極部分を囲むコイル（８）に誘導起電力を発生させる。又Ｓ領域では磁力の反転現象がスムースであり、複合体磁石（１Ｗ）と相対する磁石との磁極移動を小さいエネルギーで行い、従来の磁束を切る発電方法とは違いコギングレス化を可能にして磁力を電気エネルギーに効率良く変換する。
【発明の効果】
【０００７】  誘導起電力の法則「磁束変化量×コイルの巻き数×磁場の変化速度」であり、一般に磁石とコイルは固定化される事が多く、誘導起電力発生の大きさを回転速度によって決める方法が容易であり、前記のコギングレス化は発電効率を高める最も重要な要素となる。又回転磁極と固定磁極数を異数にしたユニットを回転軸（６）に異相に配置した効果は、回転トルクむらを小さくして入力エネルギーを減少させる効果が大きく、起電力発生を磁場の強さ、コイルの数、回転速度等の組み合わせにより電圧、電流、周波数の多様性を可能にする。
本発明は上記のように、磁石の同極吸引現象を基本にした発電機構造とコギングレス化の方法により磁力を効率良く電気エネルギーに変換する。
【図面の簡単な説明】
【０００８】
【図１】複合体磁石の基本構成を示す。
【図２】複合体磁石と相対磁石間の間隔変化と磁気変化を示す。
【図３】回転移動磁場と固定磁場による実施例を示すユニット。
【図４】Ｎ、Ｓ磁極領域における起電力の磁気サイクルを示す。
【図５】回転体磁極を異相に設置する。
【発明を実施するための形態】
【０００９】  磁力を電気エネルギーに変換する基本原理と方法を示す。［図１］磁石（１）の磁極部分に特定の磁性材（２）を組み合わせた複合体磁石「１Ｗ」（以下この磁極部分を「Ｏ磁極」と呼称する）を構成し、［図２］の磁極を仮にＮ極として相対する外部磁石（３）のＮ極同士は離れた間隔「Ｌ」では反発しているが間隔を縮めると極同士が吸引現象に変わり、Ｓ領域内では磁石（３）の強いＮ極の影響を受けて複合体磁石のＯ磁極部分のＮ極スピンが反転しＳ極になり、Ｏ磁極と磁石（３）の相互間に吸引力が働く。この時Ｏ磁極部分を囲むコイル（８）に誘導起電力が発生する。これを連続的に行う方法と構成にする。
【００１０】  本発明は、従来の学識知見にないＳ領域が発生する事により、［図３］回転軸（６）に付けた回転盤（７）の磁極に発生するコギング現象（回転トルクむら）を極小に抑えることを可能にし、回転盤（７）を動かす動力を小さくする効果は発電効率を大きく向上させ、磁力を電気エネルギーに効率良く変換する。上記のようにエネルギー密度の大きい磁力をエネルギー源とした発電方法は現状になくエネルギーに関連する諸問題を容易に解決する。
【００１１】  ［図３］は回転軸（６）を中心とした回転盤（７）に磁石（３）のＮ極を同一方向に向け円形に設け、その外側に複合体磁石（１Ｗ）のＯ磁極Ｎ極を相対的に固定配置し、回転盤（７）を回転しＳ領域内で極性を連続的に変化させ誘導起電力を発生させる。またＯ磁極を囲むコイル（８）の位置をＯ磁極内でスライド移動して誘導起電圧の調節を可能にする。この変圧方法はＯ磁極内のスピン変化量が位置によって異なるためコイルの位置を移動して行える変圧方法である。
【００１２】  ［図４］同極対向の発電方法はＮ極領域とＳ極領域に分けられ、Ｎ、Ｓ領域に示すグラフのように、断続的に直流誘導起電力が発生し回転を早くすると擬似的な直流電流を発生する。又Ｎ極−Ｎ極、Ｓ極−Ｓ極の同極吸引現象の回転サイクル時の回転トルクむら（コギング現象）を少なくし平均化する方法として、磁極数を多く等間隔に配置し、また［図５］に示すように回転軸（６）に複数位置、Ａ、Ｂ、Ｃ・・・異相に設け、回転時のコギングレス化を可能にし回転エネルギーを極度に少なくした発電方法と構造である。
【００１３】
【符号の説明】
【００１４】１      磁石
２      透磁率、磁気変化の大きい磁性体（Ｏ磁極）
３      相対する磁石
１Ｗ    複合体磁石
４      固定磁場
５      移動磁場
６      回転軸
７      回転盤
８      コイル
Ｌ      相対する磁極の間隔
ＳＯ    Ｓ領域
Ｏ      Ｏ磁極
Ｎ      磁極
Ｓ      磁極
【図１】
2011223846.tif 000003
【図２】
2011223846.tif 000004
【図３】
2011223846.tif 000005
【図４】
2011223846.tif 000006
【図５】
2011223846.tif 000007